(57)【特許請求の範囲】
【請求項１】
照明装置の光源用のソケットに装着されるソケットホルダのつば部とグローブとの間に介装されるグローブ保護シートであって、
前記ソケットを挿通する開口部、及びこの開口部の周囲に形成されて前記ソケットホルダのつば部の外周縁が挿入される複数の挿入部が形成された可撓性の基体部
を有するグローブ保護シート。
【請求項２】
前記基体部及び前記開口部が円形状である
ことを特徴とする請求項１記載のグローブ保護シート。
【請求項３】
前記基体部は、ファイバ紙からなる
ことを特徴とする請求項１又は２記載のグローブ保護シート。
【請求項４】
前記挿入部は、前記基体部に設けられた切込である
ことを特徴とする請求項１〜３のいずれか１項記載のグローブ保護シート。
【請求項５】
光源と、
この光源を保持するソケットと、
前記ソケットが貫通する貫通孔を有し前記光源を内部に収容するグローブと、
前記ソケットが装着されて一端に前記グローブの貫通孔の周縁部を保持するつば部が形成されたソケットホルダと、
前記ソケットの一端を保持すると共に前記グローブの貫通孔の上部を覆って前記ソケットホルダのつば部との間で前記グローブを挟持するグローブホルダと、
前記ソケットホルダのつば部に装着されて前記つば部と前記グローブとの間に介装されるグローブ保護シートとを備え、
前記グローブ保護シートは、前記ソケットを挿通する開口部と、この開口部の周囲に形成されて前記ソケットホルダのつば部の外周縁が挿入される挿入部とを形成してなる可撓性の基体部を有する
ことを特徴とする照明装置。
【発明の詳細な説明】
【技術分野】
【０００１】
本発明は、照明用のグローブとソケットホルダとの間に挿入するグローブ保護シート及びそれを有する照明装置に関する。
【背景技術】
【０００２】
従来、照明にガラス等からなるグローブを取り付ける際には、グローブに設けられた開口にグローブの外部から照明用のソケットを挿入し、グローブの開口からグローブの内部に向かって突出したソケットに金属製のソケットホルダを螺合し、ソケットに固定されているグローブホルダとソケットホルダとによってグローブを挟持していた。
【先行技術文献】
【特許文献】
【０００３】
【特許文献１】特開２００５−２４３３１０号公報
【発明の概要】
【発明が解決しようとする課題】
【０００４】
ソケット及びソケットホルダは一般的に金属からなるため、ソケットホルダをソケットに螺合させる際にソケットホルダを締め付けすぎてしまうと、ガラス製のグローブを破損する恐れがあった。更に、グローブの破損を防ぐために、ソケット及びソケットホルダの間に介在部品を挟もうとした場合、予め接着剤や両面シート等によってソケットホルダに介在部品を固定しておく必要があり、取付の作業性を損なっていた。
【０００５】
本発明は、このような点に鑑みなされたもので、取付の作業性を向上させることが可能なグローブ保護シートを提供することを目的としている。
【課題を解決するための手段】
【０００６】
本発明に係るグローブ保護シートは、照明装置の光源用のソケットに装着されるソケットホルダのつば部とグローブとの間に介装されるグローブ保護シートであって、ソケットを挿通する開口部、及びこの開口部の周囲に形成されてソケットホルダのつば部の外周縁が挿入される複数の挿入部が形成された可撓性の基体部を有する。この様な構成によれば、予めグローブ保護シートの基体部分に挿入部が設けられている為、グローブ保護シートをソケットホルダに容易に取り付けることが可能となり、作業性が向上する。
【０００７】
又、本発明の一実施形態において、基体部及び開口部は円形状である。
【０００８】
又、本発明の一実施形態において、基体部は、ファイバ紙からなる。
【０００９】
又、本発明の一実施形態において、挿入部は、基体部に設けられた切込である。この様な構成によれば、作業性向上の可能なグローブ保護シートを安価に生産することが可能となる。
【００１０】
本発明に係る照明装置は、光源と、この光源を保持するソケットと、ソケットが貫通する貫通孔を有し光源を内部に収容するグローブと、ソケットが装着されて一端に前記グローブの貫通孔の周縁部を保持するつば部が形成されたソケットホルダと、ソケットの一端を保持すると共にグローブの貫通孔の上部を覆ってソケットホルダのつば部との間で前記グローブを挟持するグローブホルダと、ソケットホルダのつば部に装着されてつば部とグローブとの間に介装されるグローブ保護シートとを備え、グローブ保護シートは、ソケットを挿通する開口部と、この開口部の周囲に形成されて前記ソケットホルダのつば部の外周縁が挿入される挿入部とを形成してなる可撓性の基体部を有する。
【発明の効果】
【００１１】
組付作業性が良好なグローブ保護シート及び照明装置を提供することが可能になる。
【図面の簡単な説明】
【００１２】
【図１】本発明の第１実施形態に係るグローブ保護シートの使用方法を説明するための、照明装置の分解斜視図である。
【図２】同照明装置の断面図である。
【図３】本発明の第１実施形態に係るグローブ保護シートの平面図である。
【図４】同グローブ保護シートの使用方法を説明するための平面図である。
【図５】同グローブ保護シートの使用方法を説明するための側面図である。
【発明を実施するための形態】
【００１３】
［第１実施形態］
次に、本発明の第１実施形態に係るグローブ保護シート及び照明装置について図面を参照して詳細に説明する。
【００１４】
図１は、本発明の第１実施形態に係るグローブ保護シートの使用方法及び照明装置の全体構成を説明するための、照明装置の分解斜視図であり、図２は同照明装置の断面図である。本実施形態に係る照明装置は、次のように構成されている。光源６を保持するソケット３は、光源６を内部に収容するグローブ１に設けられた貫通孔１１を貫通し、グローブ１の貫通孔１１の周縁部を保持するつば部４２が形成されたソケットホルダ４に装着されている。又、ソケット３の上端には、ソケット３の一端を保持すると共にグローブ１の貫通孔１１の上部を覆ってソケットホルダ４のつば部４２との間でグローブ１を挟持するグローブホルダ２が設けられている。更に、ソケットホルダ４のつば部４２には、つば部４２とグローブ１との間に介装されるグローブ保護シート５が装着されている。
【００１５】
図３は、本実施形態に係るグローブ保護シート５の平面図である。本実施形態に係るグローブ保護シート５は、ソケット３を挿通する開口部５１と、この開口部５１の周囲に形成されてソケットホルダ４のつば部４２の外周縁が挿入される挿入部５３とを形成してなる可撓性の基体部５２を有する。
【００１６】
本実施形態においては、開口部５１及び基体部５２は円形状である。開口部５１の直径は少なくともソケット３の直径よりも大きく、ソケットホルダ４のつば部４２の直径よりも小さく形成する。又、基体部５２の直径はソケットホルダ４のつば部４２の直径よりも大きく形成する。
【００１７】
又、本実施形態においては、挿入部５３として、基体部５２に切込５３１が、円形状の基体部５２の中心（以下、中心）を基準として１２０°毎に３カ所設けられている。本実施形態において切込５３１は、いずれも中心を通る直線に対して垂直に、かつ直線状に形成されている。又、切込５３１の両端には、グローブ保護シート５の、ソケットホルダ４への取り付けを容易にするための穴部５３２が設けられている。尚、切込５３１の端から開口部５１の中心までの距離は、ソケットホルダ４のつば部４２の半径と同等かそれ以上である。又、切込５３１の中央から基体部５２の中心までの距離は、ソケットホルダ４のつば部４２の半径よりも小さい。
【００１８】
更に、本実施形態に係るグローブ保護シート５は、ファイバ紙から形成されている。ファイバ紙は、プレスボードとも呼ばれ、クラフトパルプを厚く抄造し、加圧して乾燥したもので、電気絶縁材料として使用されている。ファイバ紙は耐熱性に優れている為、発熱するランプ６の近くで使用することが可能である。又、ファイバ紙は強靭であり、少なくともグローブ１及びソケットホルダ４の介在部品として使用しても破損する恐れが低い。更に、ファイバ紙はある程度の弾性を有しており、ソケットホルダ４の締め付けに伴うグローブ１への圧力をある程度軽減可能である。
【００１９】
図４及び図５は、本実施形態に係るグローブ保護シート５の使用方法を説明するための平面図及び側面図である。グローブ保護シート５に三カ所設けられている切込５３１に、それぞれソケットホルダ４のつば部４２の端を挿入することによって、ソケットホルダ４にグローブ保護シート５及を取り付けることが可能である。従って、本実施形態に係るグローブ保護シート５によれば、予め接着剤や両面シート等を準備しておくこと無く容易にグローブ１を保護することが可能であり、作業性が向上する。
【００２０】
［その他の実施形態］
第１の実施形態においてはグローブ保護シート５の開口５１及び基体部５２は円形状であったが、必ずしも円形状とする必要はなく、例えば第１の実施形態のように挿入部５３として３カ所の切込５３１を設けていた場合には６角形に形成することも可能であるし、その他の多角形等、他の形状にすることも可能である。
【００２１】
又、第１の実施形態においては、グローブ保護シート５の基体部５２はファイバ紙から形成されていたが、他の可撓性樹脂等から形成することも可能である。グローブ保護シート５の他の材料としては、可撓性を有し、ランプ６の近くで使用可能な程度に耐熱性を有し、少なくともグローブ１及びソケットホルダ４の介在部品として使用しても破損する可能性が低い程度に強靭であるものを使用することが考えられる。
【００２２】
又、本実施形態においては切込５３１の両端には、ソケットホルダ４の、グローブ保護シート５への挿入を容易にするための穴部５３２が設けられているが、穴部５３２のかわりに、切込５３１に対して小さく切込を入れるなど、他の手段を用いることも可能である。
【００２３】
又、本実施形態においては挿入部５３として切込５３１を３カ所設けていたが、必ずしも３カ所である必要はなく、２カ所、４カ所等、他の数にすることも可能である。尚、切込５３１を２カ所設ける場合には１８０°毎に、４カ所設ける場合には９０°毎に設けることも可能である。
【００２４】
更に、挿入部５３としては必ずしも切込５３１である必要はなく、例えば基体部５２に差込穴を形成することも可能である。
【符号の説明】
【００２５】
１…グローブ、２…グローブホルダ、３…ソケット、４…ソケットホルダ、５…グローブ保護シート、６…ランプ、４１…内ねじ部、４２…つば部、５１…開口、５２…基体部、５３…挿入部、５３１…切込。
【図１】
0005804969.tif 000002
【図２】
0005804969.tif 000003
【図３】
0005804969.tif 000004
【図４】
0005804969.tif 000005
【図５】
0005804969.tif 000006